(57)【要約】【課題】消費電力のピーク値の低減を図ることができる表示システムを提供する。【解決手段】表示システム１は、複数のセグメントａ〜ｇによって文字を表示する表示部７ａ〜７ｃを複数有する表示器５ａ〜５ｄと、表示器５ａ〜５ｄにおける表示を制御するコントローラ３とを備え、セグメントａ〜ｇは、一定時間の点灯と一定時間の消灯とを所定の周期で繰り返すダイナミック点灯方式により点灯制御されており、コントローラ３は、複数の表示部７ａ〜７ｃにおいて文字を表示させる場合に、表示部７ａ〜７ｃに文字を表示させるために必要なセグメントａ〜ｇについて、所定の周期内における一定時間の点灯のタイミングで同時に点灯させる点灯数を設定し、当該点灯数に基づいて一定時間の点灯のタイミングにおける表示器５ａ〜５ｄの表示を制御する。【選択図】図９
2015155971.tif 000002
【特許請求の範囲】
【請求項１】
複数のセグメントによって文字を表示する表示部を複数有する表示器と、
前記表示器における表示を制御する表示制御部と、を備え、
前記セグメントは、一定時間の点灯と一定時間の消灯とを所定の周期で繰り返すダイナミック点灯方式により点灯制御されており、
前記表示制御部は、複数の前記表示部において前記文字を表示させる場合に、当該表示部に前記文字を表示させるために必要な前記セグメントについて、前記所定の周期内における前記一定時間の点灯のタイミングで同時に点灯させる点灯数を設定し、当該点灯数に基づいて前記タイミングにおける前記表示器の表示を制御することを特徴とする表示システム。
【請求項２】
前記表示制御部は、前記表示部に前記文字を表示させるために必要な前記セグメントについて、前記タイミングで同時に点灯させる数を平準化し、この平準化した前記セグメントの点灯数に基づいて、前記タイミングにおける前記表示器の表示を制御することを特徴とする請求項１記載の表示システム。
【請求項３】
前記表示制御部は、前記表示部に前記文字を表示させるために必要な前記セグメントについて、前記タイミングで同時に点灯させる数が閾値以下となるように設定し、この設定した前記セグメントの点灯数に基づいて、前記タイミングにおける前記表示器の表示を制御することを特徴とする請求項１記載の表示システム。
【請求項４】
前記表示制御部は、前記セグメントの点灯数に基づいて、前記表示器における複数の前記表示部のうち、前記タイミングで前記文字を表示させる前記表示部を設定することを特徴とする請求項２又は３項記載の表示システム。
【請求項５】
前記表示制御部は、前記セグメントの点灯数に基づいて、前記表示器における前記表示部の複数の前記セグメントのうち、前記タイミングで点灯させる前記セグメントを設定することを特徴とする請求項２又は３記載の表示システム。
【請求項６】
前記表示器は複数設けられており、
前記表示制御部は、前記セグメントの点灯数に基づいて、複数の前記表示器のうち、前記タイミングで前記文字を前記表示部に表示させる前記表示器を設定することを特徴とする請求項２又は３項記載の表示システム。
【請求項７】
前記表示制御部は、前記表示器において設定される基準時を、全ての前記表示器において通信にて同期させることを特徴とする請求項１〜６のいずれか一項記載の表示システム。
【発明の詳細な説明】
【技術分野】
【０００１】
本発明は、表示システムに関する。
【背景技術】
【０００２】
従来から、複数のセグメントによって数字やアルファベット等の文字を表示するセグメントディスプレイが知られている。このセグメントディスプレイは、例えば、商品を配送する配送センターにおいて、商品のピックアップ数を示す表示器等に用いられている。表示器は各商品に対して設置されるため、商品数が多くなると表示器の数も増加し、それに伴って消費電力が大きくなる。そのため、表示器における消費電力の低減が求められている。このような省電力の要求に対して、例えば特許文献１に記載の表示装置では、７セグメントを構成する各セグメントを、順次点灯させると共に、その点灯と点灯との間に全消灯期間を有するように７セグメントを点灯・消灯制御することにより、省電力を図っている。
【先行技術文献】
【特許文献】
【０００３】
【特許文献１】特開２００８−２１６５５８号公報
【発明の概要】
【発明が解決しようとする課題】
【０００４】
ところで、セグメントディスプレイを有する表示器において、ダイナミック点灯方式（セグメントを所定の周期で点灯・消灯させる制御方式）によりセグメントを点灯制御する場合には、セグメントの点灯のタイミングにおいて電流値のピークが発生する。例えば、複数の表示器が接続されている場合、この電流値のピークが複数の表示器において重複すると、消費電力のピーク値が高くなる。これに関して、上記従来の装置では、消費電力のピーク値については検討されていない。したがって、従来の装置では、消費電力のピーク値の低減を図ることはできなかった。
【０００５】
本発明は、消費電力のピーク値の低減を図ることができる表示システムを提供することを目的とする。
【課題を解決するための手段】
【０００６】
本発明に係る表示システムは、複数のセグメントによって文字を表示する表示部を複数有する表示器と、表示器における表示を制御する表示制御部と、を備え、セグメントは、一定時間の点灯と一定時間の消灯とを所定の周期で繰り返すダイナミック点灯方式により点灯制御されており、表示制御部は、複数の表示部において文字を表示させる場合に、当該表示部に文字を表示させるために必要なセグメントについて、所定の周期内における一定時間の点灯のタイミングで同時に点灯させる点灯数を設定し、当該点灯数に基づいて上記タイミングにおける表示器の表示を制御することを特徴とする。
【０００７】
この表示システムでは、複数の表示部において文字を表示させる場合に、この表示部に文字を表示させるために必要なセグメントについて、所定の周期内における一定時間の点灯のタイミングでの点灯数を設定し、この点灯数に基づいて上記タイミングにおける表示器の表示を制御する。このように、一定時間の点灯のタイミング（一回の表示タイミング）におけるセグメントの点灯数を設定することにより、一回の表示タイミングにおいて点灯するセグメントの数を制御できる。すなわち、表示システムでは、複数のセグメントが同じタイミングで点灯することをなるべく抑制し、セグメントの点灯の分散化を図っている。したがって、表示システムでは、例えば複数の表示器が接続されている場合には、複数の各表示器において電流値のピークの重複を抑制することが可能となる。その結果、表示システムでは、消費電力のピーク値の低減を図ることができる。また、電力の消費も低減できるため、契約電力の低減が図れる。なお、表示器の表示の制御には、表示部及びセグメントの表示の制御も含まれる。
【０００８】
例えば、複数の表示器が電源に対して接続されている場合には、各表示器における電圧降下が最大となる場合を想定して、電源の容量の範囲内において、電源ラインの長さや表示器の数を設定している。そのため、電源ラインの長さや接続可能な表示器の数にはどうしても制約があった。これに対して、表示システムでは、同時に点灯するセグメントの点灯数を低減するため、接続された表示器のうち、同時に表示させる表示器において使用できる電圧が大きくなる。そのため、表示システムでは、電源ラインの長さを長くすることや表示器の接続数を増加させることが可能となる。
【０００９】
一実施形態においては、表示制御部は、表示部に文字を表示させるために必要なセグメントについて、上記タイミングで点灯させる数を平準化し、この平準化したセグメントの点灯数に基づいて、上記タイミングにおける表示器の表示を制御してもよい。このように、一定時間の点灯のタイミングで点灯させるセグメントの数を平準化することにより、消費電力についても平準化が図れる。また、消費電力のピーク値の低減をより効果的に図ることができる。
【００１０】
一実施形態においては、表示制御部は、表示部に文字を表示させるために必要なセグメントについて、上記タイミングで点灯させる数が閾値以下となるように設定し、この設定したセグメントの点灯数に基づいて、上記タイミングにおける表示器の表示を制御してもよい。このように、一定時間の点灯のタイミングで点灯させる数が閾値以下となるように設定することにより、消費電力を所定の値以下に制限できる。また、消費電力のピーク値の低減をより効果的に図ることができる。
【００１１】
一実施形態においては、表示制御部は、上記セグメントの点灯数に基づいて、表示器における複数の表示部のうち、上記タイミングで文字を表示させる表示部を設定してもよい。これにより、表示システムでは、一回の表示タイミングで文字を表示する表示部の数が制限されるため、一回の表示タイミング当たりの消費電力を低減できる。また、消費電力のピーク値の低減を図ることができる。
【００１２】
一実施形態においては、表示制御部は、上記セグメントの点灯数に基づいて、表示器における表示部の複数のセグメントのうち、上記タイミングで点灯させるセグメントを設定してもよい。これにより、表示システムでは、一回の表示タイミングで点灯させるセグメントの数が制限されるため、一回の表示タイミング当たりの消費電力を低減できる。また、消費電力のピーク値の低減を図ることができる。
【００１３】
一実施形態においては、表示器は複数設けられており、表示制御部は、上記セグメントの点灯数に基づいて、複数の表示器のうち、上記タイミングで文字を表示部に表示させる表示器を設定してもよい。これにより、表示システムでは、一回の表示タイミングで文字を表示させる表示器の数が制限されるため、一回の表示タイミング当たりの消費電力を低減できる。また、消費電力のピーク値の低減を図ることができる。
【００１４】
一実施形態においては、表示制御部は、表示器において設定される基準時を、ブロードキャスト通信を介して全ての表示器において同期させてもよい。これにより、表示システムに設けられる全ての表示器の基準時が同一に設定されるため、制御をより精度良く行うことが可能となる。
【発明の効果】
【００１５】
本発明によれば、消費電力のピーク値の低減を図ることができる。
【図面の簡単な説明】
【００１６】
【図１】一実施形態に係る表示システムの構成を示す図である。
【図２】表示器の構成の一例を示す図である。
【図３】表示部を示す図である。
【図４】セグメントの点灯による数字の表示方法を説明する図である。
【図５】表示器に文字が表示された一例を示す図である。
【図６】セグメントの点灯数の平準化処理を示すフローチャートである。
【図７】総必要セグメント数の算出処理を示すフローチャートである。
【図８】表示タイミングに表示部を割り当てる処理を説明するフローチャートである。
【図９】表示システムにおいて設定される表示タイミングと割り当てられたセグメントとを示す図である。
【図１０】第２実施形態に係る表示システムにおいて設定される表示タイミングと割り当てられたセグメントとを示す図である。
【図１１】消費電力と表示タイミングとの関係を示す図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。
【００１８】
［第１実施形態］
図１は、一実施形態に係る表示システムの構成を示す図である。図１に示す表示システム１は、例えば、商品を配送する配送センター等に導入されるシステムである。図１に示すように、表示システム１は、コントローラ（表示制御部）３と、複数の表示器５ａ，５ｂ，５ｃ，５ｄと、を備えている。表示器５ａ，５ｂ，５ｃ，５ｄは、コントローラ３に対して複数（ここでは４個）接続されている。コントローラ３と各表示器５ａ〜５ｄとは、無線又は有線により互いに通信可能に設けられている。
【００１９】
［表示器の構成］
最初に、表示器５ａ〜５ｄについて説明する。表示器５ａ〜５ｄは、文字を表示する表示装置である。表示器５ａ〜５ｄに表示される文字は、例えば、数字（アラビア数字）、アルファベット（ラテン文字）等である。複数の表示器５ａ〜５ｄは、電源（図示しない）から電力の供給を受けて駆動するものである。
【００２０】
図２は、表示器の構成の一例を示す図である。図２に示されるように、表示器５ａ〜５ｄは、表示部７ａ，７ｂ，７ｃを有している。本実施形態では、表示部７ａ〜７ｃは、３個設けられている。すなわち、表示器５ａ〜５ｄのそれぞれは、最大３桁の数字（３文字）を表示可能に構成されている。
【００２１】
図３は、表示部を示す図である。図３に示されるように、表示部７ａ〜７ｃは、７セグメントディスプレイであり、７個のセグメントａ，ｂ，ｃ，ｄ，ｅ，ｆ，ｇにより、文字を形成して表示する。各セグメントａ〜ｇは、例えば、ＬＥＤ（Light Emitting Diode）により点灯する。本実施形態では、各セグメントａ〜ｇは、赤色で点灯する。
【００２２】
図４は、セグメントの点灯による数字の表示方法を説明する図である。図４に示されるように、例えば、表示部７ａ〜７ｃに数字の「０」を表示する場合には、６個のセグメントａ〜ｆを点灯させる。これにより、表示部７ａ〜７ｃには、「０」が表示される。同様に、例えば、表示部７ａ〜７ｃに数字の「８」を表示する場合には、７個全てのセグメントａ〜ｇを点灯させる。このように、表示部７ａ〜７ｃにおける数字の表示は、点灯させるセグメントａ〜ｇの数（点灯数）によって設定される。なお、１つのセグメントを点灯させるためには、１０ｍＡ程度の電流を必要とする。
【００２３】
表示器５ａ〜５ｄは、コントローラ３から送信される表示情報を受信して、表示情報に基づいて文字を表示する。表示情報には、各表示部７ａ〜７ｃに表示させる文字を示す（点灯させるセグメントａ〜ｇを指定する）表示データと、表示のタイミング（時刻）を示すタイミングデータと、が含まれている。表示のタイミングについて、表示器５ａ〜５ｄは、内部に時計を有しており、時計の時刻とタイミングデータが示す時刻とに基づいて、文字を表示させるタイミングを決定する。表示器５ａ〜５ｄの時計は、コントローラ３から例えばブロードキャスト方式やポーリング方式等の通信よって送信される時刻同期用通信情報に基づいて、基準時が設定される。つまり、コントローラ３と各表示器５ａ〜５ｄとは、時刻が同期（一致）している。コントローラ３からは、所定の間隔（例えば、１０分間隔）で、時刻同期用通信情報が表示器５ａ〜５ｄに送信される。
【００２４】
［コントローラの構成］
続いて、コントローラ３について説明する。コントローラ３は、表示器５ａ〜５ｄにおける表示を制御する。コントローラ３は、例えば、図示しないＣＰＵ（Central Processing Unit）、ＲＯＭ（Read OnlyMemory）、ＲＡＭ（Random Access Memory）、ハードディスクなどを含んで構成されるコンピュータである。コントローラ３は、表示器５ａ〜５ｄに表示情報を送信し、表示器５ａ〜５ｄの表示を制御する。表示情報は、コントローラ３で設定されてもよいし、コントローラ３よりも上位のコントローラ（図示しない）で設定されてもよい。
【００２５】
コントローラ３は、表示器５ａ〜５ｄにおける表示部７ａ〜７ｃのセグメントａ〜ｇを、ダイナミック点灯方式により点灯制御する。ダイナミック点灯方式とは、一定時間の点灯と一定時間の消灯とを所定の周期で繰り返す方式である。本実施形態では、コントローラ３は、赤色のＬＥＤにより点灯するセグメントａ〜ｇを、例えば１００Ｈｚの周波数で点灯制御する。この場合、文字の視認性の観点からは、１周期を１０ｍｓｅｃに設定し、一定時間の点灯と一点時間の消灯とのデューティー比（ＯＮ／ＯＦＦのデューティー比）を１：９（点灯：消灯＝１：９）に設定することが好ましい。つまり、本実施形態の表示部７ａ〜７ｃでは、１周期において、セグメントａ〜ｇが点灯する一定時間は、１ｍｓｅｃに設定され、セグメントａ〜ｇが消灯する一定時間は、９ｍｓｅｃに設定される。
【００２６】
コントローラ３は、複数の表示器５ａ〜５ｄそれぞれの複数の表示部７ａ〜７ｃに文字を表示させる場合に、表示部７ａ〜７ｃに文字を表示させるために必要なセグメントａ〜ｇについて、所定の周期内における一定時間の点灯のタイミング（以下、一回の表示タイミング）で同時に点灯させる点灯数を設定する。
【００２７】
具体的には、コントローラ３は、表示部７ａ〜７ｃに文字を表示させるために必要なセグメントａ〜ｇについて、一回の表示タイミングで同時に点灯させる数を平準化する。ここで、本実施形態では、１周期は１０ｍｓｅｃに設定されており、表示部７ａ〜７ｃにおけるセグメントａ〜ｇの一回の点灯時間は１ｍｓｅｃである。そのため、１周期内においては、１０回の表示タイミングが設定される。コントローラ３は、その１０回の表示タイミングにおいて、同時に点灯されるセグメントａ〜ｇの点灯数が均等に割り振られて平準化されるように、表示部７ａ〜７ｃの点灯数を設定する。
【００２８】
コントローラ３は、平準化したセグメントａ〜ｇの点灯数に基づいて、表示タイミングにおける表示器５ａ〜５ｄの表示を制御する。具体的には、コントローラ３は、表示器５ａ〜５ｄにおける複数の表示部７ａ〜７ｃのうち、一回の表示タイミングで文字を表示させる表示部７ａ〜７ｃを設定する。つまり、コントローラ３は、１ｍｓｅｃの表示タイミングで同時に点灯する表示部７ａ〜７ｃの数を制限する。
【００２９】
続いて、上記コントローラ３による詳細な制御について説明する。最初に、一回の表示タイミングで同時に点灯させるセグメントａ〜ｇの点灯数を平準化する処理について説明する。なお、以下の説明において、コントローラ３は、図５に示されるように、各表示器５ａ〜５ｄに２桁又は３桁の文字を表示させることを前提とする。
【００３０】
具体的には、図５（ａ）に示されるように、コントローラ３は、表示器５ａにおいて、表示部７ａに「１」、表示部７ｂに「２」、表示部７ｃに「３」を表示させる。図５（ｂ）に示されるように、コントローラ３は、表示器５ｂにおいて、表示部７ａに「４」、表示部７ｂに「５」、表示部７ｃに「６」を表示させる。図５（ｃ）に示されるように、コントローラ３は、表示器５ｃにおいて、表示部７ａに「７」、表示部７ｂに「８」、表示部７ｃに「９」を表示させる。図５（ｄ）に示されるように、コントローラ３は、表示器５ｄにおいて、表示部７ｂに「０」、表示部７ｃに「１」を表示させる。
【００３１】
図６は、セグメントの点灯数の平準化処理を示すフローチャートである。図６に示されるように、コントローラ３は、最初に、表示器５ａ〜５ｄの表示部７ａ〜７ｃにおいて文字を表示するために必要な総必要セグメント数の算出処理を実施する（ステップＳ１）。図７は、総必要セグメント数の算出処理を示すフローチャートである。
【００３２】
図７に示すように、コントローラ３は、総必要セグメント数を初期化して「０」にする（ステップＳ１１）。次に、コントローラ３は、表示器番号を１（表示器番号＝１）にセットする（ステップＳ１２）。表示器５ａ〜５ｄには、それぞれ番号が設定されており、本実施形態では、「表示器５ａ：１」、「表示器５ｂ：２」、「表示器５ｃ：３」、「表示器５ｄ：４」のように表示器番号が設定されている。ここでは、コントローラ３が表示器番号を１にセットするとは、コントローラ３が表示器５ａを選択することである。
【００３３】
表示器５ａを選択すると、コントローラ３は、桁番号を１（桁番号＝１）にセットする（ステップＳ１３）。表示部７ａ〜７ｃには、それぞれ桁番号が設定されており、本実施形態では、「表示部７ａ：１」、「表示部７ｂ：２」、「表示部７ｃ：３」のように桁番号が設定されている。ここでは、コントローラ３が桁番号を１にセットするとは、コントローラ３が表示部７ａを選択することである。
【００３４】
続いて、コントローラ３は、表示器番号の桁番号に表示データがあるか否かを判断する（ステップＳ１４）。ここでは、コントローラ３は、表示器５ａの表示部７ａに文字を表示させる表示データを有しているか否かを判断する。表示データの有無は、コントローラ３が保持する表示情報を参照して判断される。コントローラ３は、表示データが有ると判断した場合には、ステップＳ１５に進む。一方、コントローラ３は、表示データが有ると判断しなかった場合（表示データが無かった場合）には、ステップＳ１６に進む。
【００３５】
ステップＳ１５では、コントローラ３は、桁番号に表示される文字に必要なセグメント数を加算する。ここでは、コントローラ３は、表示器５ａの表示部７ａに表示される文字に必要なセグメント数を表示データから取得し、そのセグメント数を加算する。図５（ａ）に示されるように、表示器５ａの表示部７ａには、「１」を表示させる。そのため、図４に示されるように、表示器５ａの表示部７ａに表示される文字に必要なセグメント数は、「２」となる。したがって、コントローラ３は、総必要セグメント数に「２」を加算する。この時点で、総必要セグメント数は、「２」となる。
【００３６】
ステップＳ１６では、コントローラ３は、桁番号に１を加算する。ここでは、コントローラ３は、桁番号が「２」に設定された表示部７ｂを選択する。次に、コントローラ３は、桁番号が最大桁番号以下であるか否かを判断する（ステップＳ１７）。本実施形態では、表示器５ａに表示部７ａ〜７ｃが３個設けられているため、最大桁番号は、「３」に設定されている。コントローラ３は、桁番号が最大桁番号以下であると判断した場合には、ステップＳ１４に戻って、ステップＳ１４からステップＳ１６までの処理を実行する。本実施形態では、コントローラ３は、桁番号が「３」となるまで、処理を繰り返す。一方、コントローラ３は、桁番号が最大桁番号以下であると判断しなかった場合には、ステップＳ１８に進む。
【００３７】
ステップＳ１８では、コントローラ３は、表示器番号に１を加算する。ここでは、コントローラ３は、表示器番号が「２」に設定された表示器５ｂを選択する。次に、コントローラ３は、表示器番号が最大表示器番号以下であるか否かを判断する（ステップＳ１９）。本実施形態では、表示器５ａ〜５ｄの４個の表示器を一例に説明しているため、最大表示器番号は「４」に設定されている。コントローラ３は、表示器番号が最大表示器番号以下であると判断した場合には、ステップＳ１３に戻って、ステップＳ１３からステップＳ１８までの処理を実行する。本実施形態では、コントローラ３は、表示器番号が「４」となるまで、処理を繰り返す。一方、コントローラ３は、表示器番号が最大表示器番号以下であると判断しなかった場合には、処理を終了する。以上の処理を実行することにより、コントローラ３は、総必要セグメント数を算出する。本実施形態では、図５（ａ）〜図５（ｄ）に示される文字を表示器５ａ〜５ｄに表示するため、コントローラ３は、総必要セグメント数を「５１」と算出する。
【００３８】
図６に戻って、コントローラ３は、１表示タイミング当たりの平均セグメント数を算出する（ステップＳ２）。平均セグメント数は、１周期において設定された複数（ここでは１０回）の表示タイミングのうち、一回の表示タイミングにおいて表示させるセグメントａ〜ｇの数である。コントローラ３は、以下の式に基づいて、平均セグメント数を算出する。
平均セグメント数＝総必要セグメント数／１周期における表示タイミング数
【００３９】
本実施形態では、上記のように、総必要セグメント数は「５１」であり、１周期における表示タイミング数は「１０」である。そうすると、コントローラ３は、上記式に基づいて、「５１／１０」により、平均セグメント数を「５．１」と算出する。本実施形態では、コントローラ３は、小数点以下は四捨五入し、平均セグメント数を「５」に設定する。なお、小数点以下の扱いについては、四捨五入に限定されない。
【００４０】
続いて、一回の表示タイミングで表示させる表示部７ａ〜７ｃを、各表示タイミングに割り当てる処理について説明する。コントローラ３は、平準化したセグメントａ〜ｇの点灯数に基づいて、表示器５ａ〜５ｄにおける複数の表示部７ａ〜７ｃのうち、一回の表示タイミングで文字を表示させる表示部７ａ〜７ｃを設定する。図８は、表示タイミングに表示部を割り当てる処理を説明するフローチャートである。
【００４１】
図８に示されるように、コントローラ３は、各表示タイミングの割当数を「０」にセットする（ステップＳ２１）。表示タイミングの割当数は、一回の表示タイミングに割り当てるセグメントａ〜ｇの点灯数である。コントローラ３は、全ての表示タイミングの割当数を「０」にセットし、割当数をリセットする。次に、コントローラ３は、表示タイミングを「１」にセットする（ステップＳ２２）。図９に示されるように、表示タイミングは、時系列で「１」〜「１０」まで設定されており、コントローラ３は、その中の表示タイミング「１」を選択する。
【００４２】
続いて、コントローラ３は、表示器番号を１（表示器番号＝１）にセットする（ステップＳ２３）。上記のように、表示器５ａ〜５ｄには、それぞれ番号が設定されているため、ここでは、コントローラ３は、表示器５ａを選択する。
【００４３】
表示器５ａを選択すると、コントローラ３は、桁番号を１（桁番号＝１）にセットする（ステップＳ２４）。上記のように、表示部７ａ〜７ｃには、それぞれ桁番号が設定されているため、ここでは、コントローラ３は、表示部７ａを選択する。
【００４４】
続いて、コントローラ３は、表示器番号の桁番号に表示データがあるか否かを判断する（ステップＳ２５）。コントローラ３は、表示データが有ると判断した場合には、ステップＳ２６に進む。一方、コントローラ３は、表示データが有ると判断しなかった場合（表示データが無かった場合）には、ステップＳ２９に進む。
【００４５】
ステップＳ２６では、コントローラ３は、表示タイミングの割当数が平均セグメント数よりも小さいか否かを判断する。具体的には、表示タイミングの割当数は、現時点では「０」とされている。また、上記処理で算出したように、平均セグメント数は、「５」である。したがって、コントローラ３は、ここでは、表示タイミングの割当数が平均セグメント数よりも小さい（０＜５）と判断する。コントローラ３は、表示タイミングの割当数が平均セグメント数よりも小さいと判断した場合には、ステップＳ２７に進む。一方、コントローラ３は、表示タイミングの割当数が平均セグメント数よりも小さいと判断しなかった場合には、ステップＳ３０に進む。
【００４６】
ステップＳ２７では、コントローラ３は、表示タイミングの割当数に桁番号のセグメント数を加算する。桁番号のセグメント数は、表示部７ａ〜７ｃにおけるセグメントａ〜ｇの点灯数である。図５（ａ）に示されるように、表示部７ａには「１」を表示させるため、点灯数はセグメントｂ，ｃの２個である。ここでは、コントローラ３は、表示タイミングの割当数「０」にセグメント数「２」を加算する。この時点で、表示タイミング「１」の割当数は、「２」となる。続いて、コントローラ３は、表示器番号の桁番号毎に表示タイミングを記憶する（ステップＳ２８）。ここでは、コントローラ３は、表示器５ａの表示部７ａを表示タイミング「１」に記憶する。これにより、図９に示されるように、表示器５ａの表示部７ａは、表示タイミング「１」において点灯することに設定される。
【００４７】
続いて、コントローラ３は、桁番号に１を加算する（ステップＳ２９）。ここでは、コントローラ３は、桁番号が「２」に設定された表示部７ｂを選択する。次に、コントローラ３は、表示タイミングに１を加算（＋１）する（ステップＳ３０）。つまり、コントローラ３は、表示タイミグを１つ移行する。ここでは、コントローラ３は、表示タイミング「１」に１を加算して、表示タイミング「２」に移行する。
【００４８】
続いて、コントローラ３は、表示タイミングが総表示タイミング数以下であるか否かを判断する（ステップＳ３１）。本実施形態では、総表示タイミング数は、「１０」に設定されている。コントローラ３は、表示タイミング番号（ここでは「２」）が１０以下であるか否かを判断する。コントローラ３は、表示タイミング番号が総表示タイミング数以下であると判断した場合には、ステップＳ３２に進む。一方、コントローラ３は、表示タイミング番号が総表示タイミング数以下であると判断しなかった場合には、表示タイミングを「１」にセットする（ステップＳ３３）。
【００４９】
次に、コントローラ３は、桁番号が最大桁番号以下であるか否かを判断する（ステップＳ３２）。本実施形態では、表示器５ａに表示部７ａ〜７ｃが３個設けられているため、最大桁番号は、「３」に設定されている。コントローラ３は、桁番号が最大桁番号以下であると判断した場合には、ステップＳ２５に戻って、ステップＳ２５からステップＳ３１までの処理を実行する。本実施形態では、コントローラ３は、桁番号が「３」となるまで、処理を繰り返す。一方、コントローラ３は、桁番号が最大桁番号以下であると判断しなかった場合には、ステップＳ３４に進む。
【００５０】
ステップＳ３４では、コントローラ３は、表示器番号に１を加算する。ここでは、コントローラ３は、表示器番号が「２」に設定された表示器５ｂを選択する。次に、コントローラ３は、表示器番号が最大表示器番号以下であるか否かを判断する（ステップＳ３５）。本実施形態では、表示器５ａ〜５ｄの４個の表示器を一例に説明しているため、最大表示器番号は「４」に設定されている。コントローラ３は、表示器番号が最大表示器番号以下であると判断した場合には、ステップＳ２４に戻って、ステップＳ２４からステップＳ３３までの処理を実行する。本実施形態では、コントローラ３は、表示器番号が「４」となるまで、処理を繰り返す。一方、コントローラ３は、表示器番号が最大表示器番号以下であると判断しなかった場合には、処理を終了する。
【００５１】
以上の処理を実行することにより、コントローラ３は、図９に示されるように、各表示器５ａ〜５ｄの表示部７ａ〜７ｃの点灯のタイミングを、表示タイミング「１」〜「１０」に割り当てる。具体的には、コントローラ３は、表示器５ａの表示部７ａ，７ｂ，７ｃをそれぞれ、表示タイミング「１」、「２」、「３」に割り当てる。同様に、コントローラ３は、表示器５ｂの表示部７ａ，７ｂ，７ｃをそれぞれ、表示タイミング「４」、「５」、「６」に割り当て、表示器５ｃの表示部７ａ，７ｂ，７ｃをそれぞれ、表示タイミング「７」、「８」、「９」に割り当てる。
【００５２】
コントローラ３は、表示器５ｄの表示部７ｂを表示タイミング「１０」に割り当てた後、表示部７ｃの割り当てを設定する。このとき、コントローラ３は、表示部７ｂを割り当てた時点で表示タイミングが最大数（１０）以上となっているため、図８のステップＳ３１の判断により、表示タイミング「１」に表示部７ｃをセットする（ステップＳ３３）。この時点での表示タイミング「１」のセグメントａ〜ｇの合計点灯数は、「４（２＋２）」であるため、コントローラ３は、図８のステップＳ２６の判断により、表示部７ｃを表示タイミング「１」に設定する。このようにコントローラ３によって表示器５ａ〜５ｄの表示部７ａ〜７ｃの点灯のタイミングを設定することにより、図９に示されるように、１度の表示タイミングにおいて点灯するセグメントの合計数が低減し、平準化される。
【００５３】
なお、表示器５ｄの表示部７ｃの割り当てを設定するときに、表示タイミング「１」の合計点灯数が既に５以上となっている場合には、図８のステップＳ２６の判断により、合計点灯数が５以下の表示タイミングまで移行する。例えば、図９に示す例においては、表示タイミング「４」の合計点灯数が「４」であるため、コントローラ３は、表示タイミング「４」まで移行し、表示タイミング「４」に表示部７ｃを割り当てることになる。
【００５４】
以上説明したように、本実施形態の表示システム１では、複数の表示部７ａ〜７ｃにおいて文字を表示させる場合に、この表示部７ａ〜７ｃに文字を表示させるために必要なセグメントａ〜ｇについて、所定の周期内における一定時間の点灯のタイミングでの点灯数を設定し、この点灯数に基づいて一回の表示タイミングにおける表示器５ａ〜５ｄの表示を制御する。このように、一回の表示タイミングにおけるセグメントａ〜ｇの点灯数を設定することにより、一回の表示タイミングにおいて点灯するセグメントａ〜ｇの数を制御できる。すなわち、表示システム１では、複数のセグメントａ〜ｇが同じタイミングで点灯することをなるべく抑制し、セグメントａ〜ｇの点灯の分散化を図っている。以上のように、表示システム１では、複数の各表示器５ａ〜５ｄにおいて電流値のピークの重複を抑制することが可能となる。その結果、表示システム１では、消費電力のピーク値の低減を図ることができる。
【００５５】
従来の表示システムでは、複数の表示器において表示部のそれぞれを点灯させるタイミングが設定されていないため、例えば、図５に示す例において、表示器５ａの表示部７ａ，７ｃ、表示器５ｂの表示部７ｃ、表示器５ｃの表示部７ｃ、及び、表示器５ｄの表示部７ｃが同時に点灯した場合、点灯するセグメントａ〜ｇの総点灯数は「２３（５＋５＋６＋７＋６）」となる。この場合、消費電流は、２３０ｍＡ（１０ｍＡ×２３）となる。これに対して、表示システム１では、図９に示されるように、セグメントａ〜ｇの点灯数が最も多い場合であっても「７（表示タイミング８）」である。この場合、消費電流は、７０ｍＡ（１０ｍＡ×７）となる。したがって、表示システム１では、消費電力のピーク値の低減を図ることができる。
【００５６】
また、例えば、表示器５ａ〜５ｄの表示部７ａ〜７ｃの全てに「８」を表示する場合、同時に点灯されるセグメントａ〜ｇの点灯数の最大値は「１４（７＋７）」となる。この場合、消費電流は、１４０ｍＡ（１０ｍＡ×１４）となる。従来の表示システムでは、例えば、４個の表示器の表示部の点灯が同時に行われた場合、セグメントａ〜ｇの点灯数が「２８（７＋７＋７＋７）」となる。この場合、消費電流は、２８０ｍＡ（１０ｍＡ×２８）となる。したがって、表示システム１では、セグメントの点灯数が最も多い「８」を全ての表示器５ａ〜５ｄにおいて点灯させる場合であっても、消費電力のピーク値の低減を図ることができる。
【００５７】
本実施形態の表示システム１では、複数の表示器５ａ〜５ｄが電源に対して接続されている。通常、表示システムでは、各表示器における電圧降下が最大となる場合を想定して、電源の容量の範囲内において、電源ラインの長さや表示器の数を設定している。そのため、電源ラインの長さや接続可能な表示器の数にはどうしても制約があった。これに対して、本実施形態の表示システム１では、同時に点灯するセグメントａ〜ｇの点灯数を低減するため、接続された表示器５ａ〜５ｄのうち、同時に表示させる表示器５ａ〜５ｄにおいて使用できる電圧が大きくなる。そのため、表示システム１では、電源ラインの長さを長くすることや表示器５ａ〜５ｄの接続数を増加させることが可能となる。
【００５８】
本実施形態の表示システム１では、コントローラ３は、表示部７ａ〜７ｃに文字を表示させるために必要なセグメントａ〜ｇについて、一回の表示タイミングで点灯させる数を平準化し、この平準化したセグメントａ〜ｇの点灯数に基づいて、一回の表示タイミングにおける表示器５ａ〜５ｄの表示を制御する。このように、一定時間の点灯のタイミングで点灯させるセグメントａ〜ｇの数を平準化することにより、消費電力についても平準化が図れる。また、消費電力のピーク値の低減をより効果的に図ることができる。
【００５９】
特に、本実施形態では、コントローラ３は、平準化したセグメントａ〜ｇの点灯数に基づいて、表示器５ａ〜５ｄにおける複数の表示部７ａ〜７ｃのうち、一回の表示タイミングで文字を表示させる表示部７ａ〜７ｃを設定する。これにより、表示システム１では、一回の表示タイミングで文字を表示する表示部７ａ〜７ｃの数が制限されるため、一回の表示タイミング当たりの消費電力を低減できる。
【００６０】
［第２実施形態］
続いて、第２実施形態について説明する。第２実施形態では、コントローラ３は、各表示器５ａ〜５ｄの何れかのうちの、表示部７ａ〜７ｃについて、一回の表示タイミングで点灯させるセグメントａ〜ｇを設定する。
【００６１】
コントローラ３は、表示部７ａ〜７ｃに文字を表示させるために必要なセグメントａ〜ｇについて、一回の表示タイミングで同時に点灯させる数を平準化する。ここで、本実施形態では、１周期は１０ｍｓｅｃに設定されており、表示部７ａ〜７ｃにおけるセグメントａ〜ｇの一回の点灯時間は１ｍｓｅｃである。そのため、１周期内においては、１０回の表示タイミングが設定される。コントローラ３は、その１０回の表示タイミングにおいて、同時に点灯されるセグメントａ〜ｇの点灯数が均等に割り振られて平準化されるように、セグメントａ〜ｇの点灯数を設定する。
【００６２】
続いて、上記コントローラ３による詳細な制御について説明する。最初に、一回の表示タイミングで同時に点灯させるセグメントａ〜ｇの点灯数を平準化する処理について説明する。なお、以下の説明において、コントローラ３は、図５（ａ）に示されるように、表示部７ａ〜７ｃに数字を表示させることを前提とする。具体的には、図５（ａ）に示されるように、コントローラ３は、表示器５ａにおいて、表示部７ａに「１」、表示部７ｂに「２」、表示部７ｃに「３」を表示させる。
【００６３】
最初に、コントローラ３は、表示器５ａの表示部７ａ〜７ｃにおいて文字を表示するために必要な総必要セグメント数を算出する。コントローラ３は、表示部７ａ〜７ｃに文字を表示させるために必要なセグメントａ〜ｇを表示データから取得し、そのセグメントａ〜ｇを加算して、総必要セグメント数を算出する。具体的には、コントローラ３は、表示部７ａに「１」、表示部７ｂに「２」、表示部７ｃに「３」を表示させるため、それぞれのセグメント点灯数（数字「１」：セグメント数「２」、「３」：５、「３」：５）を加算して、総必要セグメント数（２＋５＋５＝１２）を算出する。
【００６４】
次に、コントローラ３は、一回の表示タイミング当たりの平均セグメント数を算出する。平均セグメント数は、１周期において設定された複数（ここでは１０回）の表示タイミングのうち、一回の表示タイミングにおいて表示させるセグメントａ〜ｇの数である。コントローラ３は、以下の式に基づいて、平均セグメント数を算出する。
平均セグメント数＝総必要セグメント数／１周期における表示タイミング数
【００６５】
本実施形態では、上記のように、総必要セグメント数は「１２」であり、１周期における表示タイミング数は「１０」である。そうすると、コントローラ３は、上記式に基づいて、「１２／１０」により、平均セグメント数を「１．２」と算出する。本実施形態では、コントローラ３は、小数点以下は四捨五入し、平均セグメント数を「１」に設定する。なお、少数点以下の扱いについては、四捨五入に限定されない。
【００６６】
続いて、コントローラ３は、各表示部７ａ〜７ｃに表示させる文字に必要なセグメント数に基づいて、文字を表示させるために必要な表示タイミング数を算出する。コントローラ３は、以下の式に基づいて、必要な表示タイミング数を算出する。
必要タイミング数＝表示部の数字のセグメント数／（総必要セグメント数×１周期における表示タイミング数）
【００６７】
コントローラ３は、各表示部７ａ〜７ｃについて、表示させる文字に必要なセグメント数を表示データから取得し、上記式に基づいて、必要な表示タイミング数を以下のように算出する。
・表示部７ａの必要表示タイミング数＝２／（１２×１０）＝１．６
・表示部７ｂの必要表示タイミング数＝５／（１２×１０）＝４．１
・表示部７ｃの必要表示タイミング数＝５／（１２×１０）＝４．１
【００６８】
本実施形態では、コントローラ３は、算出した表示タイミング数において小数点以下は四捨五入して、必要な表示タイミング数を算出する。すなわち、コントローラ３は、表示部７ａの必要表示タイミング数を「２」、表示部７ｂの必要表示タイミング数を「４」、表示部７ｃの必要表示タイミング数を「４」に設定する。なお、少数点以下の扱いについては、四捨五入に限定されない。
【００６９】
続いて、コントローラ３は、表示タイミング「１」〜「１０」に表示部７ａ〜７ｃのセグメントａ〜ｇを割り当てる。図１０は、表示タイミングと割り当てられたセグメントとを示す図である。図１０に示されるように、コントローラ３は、表示部７ａに表示される「１」を表示するためのセグメント「ａ」及び「ｃ」を、２つの表示タイミング「１」及び「２」にそれぞれ割り当てる。具体的には、コントローラ３は、セグメントａ〜ｇをアルファベット順に割り当てる。したがって、コントローラ３は、最初に、セグメント「ｂ」を表示タイミング「１」に割り当て、次に、セグメント「ｃ」を表示タイミング「２」に割り当てる。
【００７０】
コントローラ３は、表示部７ａと同様に、表示部７ｂ，７ｃも表示タイミングに割り当てる。ここで、表示部７ｂの必要表示タイミング数は、「４」である。表示部７ｂに表示される「２」は、「５」個のセグメントａ，ｂ，ｄ，ｅ，ｇにより表示される。そのため、必要表示タイミング数よりもセグメント数の方が多くなる。この場合、コントローラ３は、図１０に示されるように、表示部７ｂの最後の表示タイミング（ここでは表示タイミング「６」）において、必要表示タイミング数にセグメントが収まるように調整する。ここでは、コントローラ３は、表示タイミング「６」にセグメントｅ，ｇを割り当てる。コントローラ３は、表示部７ｃについても、必要表示タイミング数にセグメントａ，ｂ，ｃ，ｄ，ｇが収まるように、表示タイミング「１０」にセグメントｄ，ｇを割り当てる。
【００７１】
以上説明したように、本実施形態の表示システム１では、平準化したセグメントａ〜ｇの点灯数に基づいて、表示器５ａ（５ｂ，５ｃ）における表示部７ａ〜７ｃの複数のセグメントａ〜ｇのうち、一回の表示タイミングで点灯させるセグメントａ〜ｇを設定する。これにより、表示システム１では、一回の表示タイミングで点灯させるセグメントａ〜ｇの数が制限されるため、一回の表示タイミング当たりの消費電力を低減できる。
【００７２】
図１１は、表示タイミングと消費電流との関係を示す図である。図１１では、横軸は表示タイミングを示し、縦軸は消費電力を示している。図１１（ａ）は、本実施形態に係る表示システム１を示し、図１１（ｂ）は、従来の表示システムを示している。
【００７３】
従来の表示システムにおいて、例えば、表示器に３桁の数字「１」、「２」、「３」を表示させる場合には、各桁について、表示させるセグメントの数がそれぞれ「２」、「５」、「５」となる。この場合、各表示タイミングで１桁ずつダイナミック点灯制御によってセグメントを表示させると、図１１（ｂ）に示されるように、各桁において「セグメント数×１０ｍＡ」の電流が必要となる。数字の「２」及び「３」を表示させる場合には、最大で５０ｍＡの電力が必要となる。
【００７４】
これに対して、本実施形態の表示システム１では、平準化したセグメントａ〜ｇの点灯数に基づいて、一回の表示タイミングで点灯させるセグメントａ〜ｇを設定する。これにより、表示システム１では、図１１（ａ）に示されるように、一回の表示タイミングにおける消費電流が平準化され、一回の表示タイミング当たりの消費電力を低減できると共に、消費電流のピーク値が小さくなる。本実施形態では、消費電流のピーク値は、最大で２０ｍＡとなる。例えば、表示部７ａ〜７ｃに表示される数字が「８」の場合であっても、消費電流のピーク値は、最大で３０ｍＡとなる。
【００７５】
［変形例］
本発明は、上記実施形態に限定されるものではない。例えば、上記実施形態では、一回の表示タイミングで文字を表示させる表示部７ａ〜７ｃを設定、或いは、一回のタイミングで点灯させるセグメントａ〜ｇを設定しているが、コントローラ３の制御対象はこれに限定されなない。コントローラ３は、平準化したセグメントａ〜ｇの点灯数に基づいて、複数の表示器５ａ〜５ｄのうち、一回の表示タイミングで文字を表示部７ａ〜７ｃに表示させる表示器５ａ〜５ｄを設定してもよい。これにより、表示システム１では、一回の表示タイミングで文字を表示させる表示器５ａ〜５ｄの数が制限されるため、一回の表示タイミング当たりの消費電力を低減できる。また、消費電力のピーク値の低減を図ることができる。
【００７６】
また、コントローラ３は、平準化したセグメントａ〜ｇの点灯数に基づいて、表示器５ａ〜５ｄの何れか１台において、複数の表示部７ａ〜７ｃのうち、一回の表示タイミングで表示させる表示部７ａ〜７ｃを設定してもよい。
【００７７】
上記実施形態では、表示部７ａ〜７ｃに文字を表示させるために必要なセグメントａ〜ｇについて、一回の表示タイミングで同時に点灯させる数を平準化し、この平準化したセグメントａ〜ｇの点灯数に基づいて、一回の表示タイミングにおける表示器５ａ〜５ｄの表示を制御しているが、コントローラ３による制御はこれに限定されない。コントローラ３は、表示部７ａ〜７ｃに文字を表示させるために必要なセグメントａ〜ｇについて、一回の表示タイミングで同時に点灯させる数が閾値以下となるように設定し、この設定したセグメントａ〜ｇの点灯数に基づいて、一回の表示タイミングにおける表示器５ａ〜５ｄの表示を制御してもよい。このように、一定時間の点灯のタイミングで点灯させる数が閾値以下となるように設定することにより、消費電力を所定の値以下に制限できる。また、消費電力のピーク値の低減を効果的に図ることができる。
【００７８】
上記実施形態では、赤色のＬＥＤによりセグメントａ〜ｇを点灯させる構成を一例に説明したが、セグメントａ〜ｇを点灯させるＬＥＤの色は、他の色であってもよいし、複数の色が混在していてもよい。例えば、ＬＥＤが緑色の場合、文字の視認性の観点からは、一定時間の点灯と一点時間の消灯とのデューティー比を７：１３（点灯：消灯＝７：１３）に設定することが好ましい。この場合には、１周期内における表示タイミングを２０回に設定し、セグメントａ〜ｇが点灯する一定時間を０．５ｍｓｅｃに設定する。そのため、コントローラ３は、緑色で点灯させる場合には、７回分の表示タイミングにセグメントａ〜ｇを割り当てる。また、赤色と緑色とが混在する場合、コントローラ３は、赤色で点灯させる場合には、２回分の表示タイミングにセグメントａ〜ｇを割り当てる。
【００７９】
上記実施形態に加えて、コントローラ３は、平準化したセグメント数について、上限（制限）を設定してもよい。すなわち、コントローラ３は、平準化したセグメント数が所定の最大値以下となるように、セグメント数を設定してもよい。これにより、表示システム１では、消費電力が平準化されると共に、消費電力のピーク値が所定の値以下に設定されるため、電力会社との契約電力の低減が図れる。以下、コントローラ３の制御の具体的な一例について説明する。なお、以下の説明では、表示器が、セグメントａ〜ｇを点灯していない状態においても、３０ｍＡ程度の電流を消費することを前提する。また、表示システム１においては、表示器が１０００台接続されており、各表示器の表示部７ａ〜７ｃのそれぞれに「８」を表示させるものとする。
【００８０】
上記第１実施形態に係る表示システム１において、コントローラ３が１０００台の各表示器において「８」を点灯させる場合には、セグメントａ〜ｇの７個のセグメントをそれぞれ点灯させる。この場合、１０００台の表示器におけるセグメントａ〜ｇの点灯数は、２１０００個（セグメント数：７×表示部の数：３×表示器の台数：１０００）となる。表示システム１では、コントローラ３は、一回の表示タイミングで同時に点灯させるセグメントａ〜ｇの数を平準化するため、同時に点灯させる点灯数は、１０分の１となる。そうすると、表示器を点灯させるために必要な電流は、１セグメント当たりの消費電力が１０ｍＡであるため、２１Ａ（（２１０００／１０）×１０ｍＡ）となる。また、上記のように、各表示器においては３０ｍＡの電流が消費されるため、１０００台の表示器では、３０Ａ（１０００×３０ｍＡ）の電流が消費される。したがって、全体の消費電流は、５１Ａ（２１Ａ＋３０Ａ）となる。ここで、表示器が５Ｖで駆動し、表示器に電力を供給する電源が１００Ｖの場合、電源からの変換効率を７０％とすると、表示システム１における表示器の最大消費電力は、３６４Ｗ（（５１Ａ×５Ｖ）／０．７）となる。
【００８１】
続いて、上記表示システム１において、コントローラ３が平準化したセグメント数について上限を設定した場合について説明する。ここでは、コントローラ３において、セグメント数の上限が上記の点灯数の１０分の１に設定されているものとする。この場合、１０００台の表示器におけるセグメントａ〜ｇの同時点灯数は、２１００個となる。コントローラ３は、表示を１０回に分け、１回の表示で２１００セグメント分ずつの表示器の表示を行う。１回目は先頭の１００台の表示、２回目は次の１００台の表示、以下同様にして、１０回目は最後の１００台を表示する。そのため、表示器を点灯させるために必要な電流は、２．１Ａ（（２１００／１０）×１０ｍＡ）となる。また、上記のように、各表示器においては３０ｍＡの電流が消費されるため、１０００台の表示器では、３０Ａ（１０００×３０ｍＡ）の電流が消費される。したがって、セグメント数に上限を設定した場合、全体の消費電流は、３２．１Ａ（２．１Ａ＋３０Ａ）となる。ここで、表示器が５Ｖで駆動し、表示器に電力を供給する電源が１００Ｖの場合、電源からの変換効率を７０％とすると、表示システム１における表示器の最大消費電力は、２２９Ｗ（（３２．１Ａ×５Ｖ）／０．７）となる。このように、表示システム１では、平準化したセグメント数について上限を設定することにより、消費電力が低減されるため、電力会社との契約電力の低減が図れる。
【００８２】
上記実施形態では、１台のコントローラ３を備える構成を一例に説明したが、表示システム１では、複数のコントローラ３が備えられていてもよい。この場合、複数のコントローラ３を統括的に制御するメインコントローラ（図示しない）が備えられていてもよい。
【００８３】
上記実施形態では、表示器５ａ〜５ｄが３個の表示部７ａ〜７ｃをそれぞれ有する構成を一例に説明したが、表示部の数はこれに限定されない。
【００８４】
上記実施形態では、表示部７ａ〜７ｃが７個のセグメントａ〜ｇにより文字を表示する７セグメントディスプレイである構成を一例に説明したが、表示部７ａ〜７ｃは、例えば１４セグメントディスプレイであってもよい。
【００８５】
また、消費電力のピーク値を低減させる方法としては、以下の態様が考えられる。なお、以下の説明では、表示システムが、商品をピックアップする配送センターに設置されており、表示器には、商品を作業者がピックアップした後に押下する完了ボタンが設けられているものとする。完了ボタンは、押下されると、コントローラにその旨を示す情報を出力し、コントローラは、その情報を受け取ると、その表示器の表示を終了させる。表示器は、各商品に対応して設置されており、商品の数に対応した個数が設けられている。
【００８６】
この表示システムでは、複数の表示器を点灯させる場合に、同時に点灯させるセグメントの数が所定の点灯数を超えたときには、一部の表示器において、例えば、「＝＝＝（セグメントｄとセグメントｇを点灯）」等のように、横棒線のみを表示させる。具体的には、表示システムにおいて、例えば、１０００台の表示器が設置されており、セグメントの上限数を全表示セグメント数の１０分の１の２１００個に設定する。ピックアップすべき商品が２００種類存在する場合、２００台の表示器にピックアップすべき数量を表示させる必要があるが、２００台のうちの１５０台目の表示器の数量の表示においてセグメントの表示数が上限に達したとする。この場合、１回目の表示として、１４９台目までの表示器のそれぞれにピックアップすべき数量を表示させ、１５０台目の表示器（１台のみ）に横棒線を表示させる。横棒線の表示は、１回目の表示の後に続けてピックアップすべき商品が存在することを示している。
【００８７】
表示システムのコントローラは、ピックアップ数を表示させている表示器において、商品のピックアップが終了した後に作業者によりピックアップが完了したことを示す完了ボタンが押下されると、その表示器における表示を終了させる。ピックアップ数を表示させている全ての表示器の完了ボタンが押下されると、１回目の表示の作業が完了する。続けて、コントローラは、２回目の表示を行う。２回目の表示では、１５０台目から２００台目までの表示を行う。この場合、セグメントの表示数が上限に達しないので、横棒線の表示は行わない。このように、表示システムでは、全体の表示器のうち、セグメントが所定の点灯数以下となるように一部の表示器を表示させることにより、消費電力のピーク値の低減を図ることができる。
【符号の説明】
【００８８】
１…表示システム、３…コントローラ（表示制御部）、５ａ〜５ｄ…表示器、７ａ〜７ｃ…表示部、ａ〜ｇ…セグメント。
【図１】
2015155971.tif 000003
【図２】
2015155971.tif 000004
【図３】
2015155971.tif 000005
【図４】
2015155971.tif 000006
【図５】
2015155971.tif 000007
【図６】
2015155971.tif 000008
【図７】
2015155971.tif 000009
【図８】
2015155971.tif 000010
【図９】
2015155971.tif 000011
【図１０】
2015155971.tif 000012
【図１１】
2015155971.tif 000013